(57)【要約】【課題】中間階にいる昇降機利用者の長い待ち時間と優先ランクなどの個人情報に対応できる昇降機運行制御装置の提供。【解決手段】昇降機に取り付けた乗りかご１と、乗りかご１の運行を制御する昇降機制御盤２と、昇降機を乗る際に乗りかご１を利用者所在階に呼ぶための呼び登録装置３と、呼び登録装置３で登録される利用者の情報を対応処理することにより昇降機制御盤２に乗りかご１運行の制御指令を出す中間階呼び対応処理と乗りかご制御指令装置４とで構成した昇降機運行制御装置を有し、  上記昇降機運行制御装置において、中間階にいる上記昇降機利用者の優先ランクと呼び時間などのＩＤ情報と人数情報を呼び登録装置３で登録するＩＤ情報と時間階付き呼び登録手段１０と、上記登録された昇降機利用者の優先ランクなどのＩＤ情報と待ち時間長さである呼び時間により昇降機乗りかご１の満員設定値を調整することによって上記昇降機利用者の乗り負荷を確保する中間階呼び対応処理手段１１とを有する構成とする。【選択図】図１
2005330062.tif 000002
【特許請求の範囲】
【請求項１】
昇降機に取り付けた乗りかごと、乗りかごの運行を制御する昇降機制御盤と、昇降機に乗る際に上記乗りかごを利用者所在階に呼ぶための呼び登録装置と、上記呼び登録装置で登録される利用者の情報を対応処理することにより昇降機制御盤に上記乗りかご運行の制御指令を出す中間階呼び対応処理と乗りかご制御指令装置とで構成した昇降機運行制御装置を有し、
上記昇降機運行制御装置において、中間階にいる上記昇降機利用者の優先ランクと呼び時間などのＩＤ情報と人数情報を上記呼び登録装置で登録するＩＤ情報と時間階付き呼び登録手段と、上記登録された昇降機利用者の優先ランクなどのＩＤ情報と待ち時間長さである呼び時間により上記昇降機乗りかごの満員設定値を調整することによって上記昇降機利用者の乗り負荷を確保する中間階呼び対応処理手段とを有することを特徴とする昇降機運行制御装置。
【請求項２】
上記中間階呼び対応処理手段において、上記中間階呼び対応処理と乗りかご制御指令装置は、上記呼び登録装置から収集した上記昇降機利用者の優先ランクまたは一定の待ち時間を超えることにより、かご乗り不能と途中階通過条件生成手段によって、上記昇降機利用者のいる階に来たときに上記利用者が安全に乗れる乗り負荷を自動確保することを特徴とする請求項１記載の昇降機運行制御装置。
【請求項３】
上記かご乗り不能と途中階通過条件生成手段において、乗りかごの負荷センサの満員設定を下方向に自動調節することによりかご満員で昇降機起動不能によって乗り不能の特徴と、乗りかご満員になったときに満員での昇降機途中階通過の連動、又は他の専用運転との連動をすることを特徴とする請求項２記載の昇降機運行制御装置。
【発明の詳細な説明】
【技術分野】
【０００１】
本発明は、昇降機利用の際の呼び登録などの操作や、呼び登録に応じる運行や、昇降機乗りかごの満員センシング技術や、満員時の昇降機途中階床通過と乗員オーバー時の昇降機起動が不能との昇降機連動制御に係わり、昇降機利用者個人情報と中間階床の待ち時間に応じる昇降機運行サービスを提供する機能を備えた昇降機運行制御装置に関するものである。
【背景技術】
【０００２】
呼び登録に応じて昇降機を上位階から下位階へ順番運行するのが主流である。上位階の利用者が待ち時間を気にすることなく先に乗ってしまうことに対し、下位階の利用者が上位階の乗り込み具合により待ち時間が長いこと、また乗れなくなることがよく見られており、特にデパート、スーパー、官庁役所などの利用者の流動が激しく変わるビルでよく見られる。昇降機乗りかごは上位階で満員になって下位階に来たときに利用できなくなることや、中間階で待ち時間が長くなることを避けるために、昇降機の台数と輸送能力を大きく上げるのが一般的な手法として使われ、現状でもあるが、一方如何にしても時間を気にする利用者が階段で解決し、階段使用の不便を感じた者が時間を犠牲にして昇降機の空席を待ち続ける。海外では過長の待ち時間の例を挙げることができる。
【０００３】
一方、昇降機の群管理新規実施の際に昇降機の利用者ニーズをはかって、複数台の昇降機が待ち階別の設定や階呼びの分担対応などの技術により、昇降機群管理の設定を行う例も挙げることができる。また、昇降機速度以外の快速化を実現する検知手段などの技術はまだ明確にされていない。（特許文献１参照）。
【特許文献１】特開２００３−２２１１７３公報
【発明の開示】
【発明が解決しようとする課題】
【０００４】
呼び登録に応じて昇降機を上位階から下位階へ順番運行する方法には下記欠点がある。下位階の利用者が呼び登録で来た昇降機に乗れないことにより待ち時間が長くなる。特に昇降機使用ピーク時間帯に中間階で昇降機に乗れる可能性が低いため待ち時間が過長になることがある。
【０００５】
いま昇降機は色々専用運転があるが、中間階の通過可否の検知手段及び制御手段はあまりなかった。
【０００６】
本発明の目的は、上記問題点を解決する昇降機運行制御装置を提供する。
【０００７】
一番目の目的は、中間階にいる昇降機利用者の長い待ち時間と優先ランクなどの個人情報に対応できる昇降機運行制御装置を提供することにある。
【０００８】
二番目の目的は、中間階にいる昇降機利用者の長い待ち時間と優先ランクなどの個人情報に対応することに対し、上記昇降機利用者のいる階に来たときに上記利用者が安全に乗れることを自動確保する昇降機運行制御装置を提供することにある。
【０００９】
三番目の目的は、中間階にいる昇降機利用者の長い待ち時間と優先ランクなどの個人情報に対応することに対し、上記昇降機利用者のいる階に来たときに上記利用者が安全に乗れることを自動確保するために、乗りかごの負荷確保と昇降機の非通常運転連動を行う昇降機運行制御装置を提供することにある。
【課題を解決するための手段】
【００１０】
上記の一番目の目的は、昇降機に取り付けた乗りかごと、乗りかごの運行を制御する昇降機制御盤と、昇降機に乗る際に上記乗りかごを利用者所在階に呼ぶための呼び登録装置と、上記呼び登録装置で登録される利用者の情報を対応処理することにより昇降機制御盤に上記乗りかご運行の制御指令を出す中間階呼び対応処理と乗りかご制御指令装置とで構成した昇降機運行制御装置を有し、
上記昇降機運行制御装置において、中間階にいる上記昇降機利用者の優先ランクと呼び時間などのＩＤ情報と人数情報を上記呼び登録装置で登録するＩＤ情報と時間階付き呼び登録手段と、上記登録された昇降機利用者の優先ランクなどのＩＤ情報と待ち時間長さである呼び時間により上記昇降機乗りかごの満員設定値を調整することによって上記昇降機利用者の乗り負荷を確保する中間階呼び対応処理手段とを有した構成により達成される。
【００１１】
上記二番目の目的は、上記中間階呼び対応処理手段において、上記中間階呼び対応処理と乗りかご制御指令装置は、上記呼び登録装置から収集した上記昇降機利用者の優先ランク又は一定の待ち時間を超えることにより、かご乗り不能と途中階通過条件生成手段によって、上記昇降機利用者のいる階に来たときに上記利用者が安全に乗れる乗り負荷を自動確保する特徴とを有した構成により達成される。
【００１２】
上記三番目の目的は、上記かご乗り不能と途中階通過条件生成手段において、乗りかごの負荷センサの満員設定を下方向に自動調節することにより、かご満員で昇降機起動不能によって乗り不能の特徴と、乗りかご満員になったときに満員での昇降機途中階通過の連動、又は他の専用運転との連動をする特徴とを有した構成により達成される。
【００１３】
以上の構成であるから、中間階にいる昇降機乗り待ち時間が長い昇降機利用者が、自分呼び登録した優先ランクや長い待ち時間により、乗りかごの負荷センサの満員設定を下方向に自動調節し、途中の呼び階に応じるときに新満員設定により自動的に乗り制約でき、非通常の運転で昇降機が利用者のいる階に来たときに確実に乗れることを自動的に確保することができる。
【発明の効果】
【００１４】
以上のように本発明によれば、昇降機の利用者は、呼び登録した個人情報と待ち時間情報により、中間階にて待ち時間が長くなることなく、昇降機が利用者のいる階に来たときに自動的に乗ることができる。また、昇降機輸送能力が無駄なく有効利用できる。また、電車のように快速昇降機や垂直輸送交通系統の有料化に対し検知手段と制御手段の一つとして提供できる。
【発明を実施するための最良の形態】
【００１５】
以下、本発明を実施するための最良の形態を図により説明する。
【００１６】
図１は本発明の一実施形態になる昇降機運行制御装置における概略構成図である。１は本発明の制御対象である昇降機乗りかご、２は昇降機制御盤、３は昇降機乗りかごを呼ぶための昇降機呼び登録装置、４は昇降機利用者の情報を対応処理することにより昇降機制御盤に乗りかご１運行の制御指令を出す中間階呼び対応処理と乗りかご制御指令装置である。
【００１７】
図２は図１に説明した昇降機制御装置の機能を説明するブロック図である。図１の処理制御装置５において、１０は昇降機利用者の特徴情報保持装置からの上記個人特徴情報をリーダ端末装置２で介して認知情報センター３に転送し、認知情報センター３から上記該当昇降機利用者認知情報を取り出し利用条件の個人差状況の認知を行う昇降機利用者認知処理手段、１１は上記の認知情報により該当昇降機利用者に対する機能サービスを行う昇降機機能サービス選択手段、１２は上記機能サービス選択により昇降機運行を制御する昇降機運行制御手段である。
【００１８】
図３は図２で説明した昇降機運行制御装置の動作を説明するフローチャートである。ステップＳ１で昇降機利用者の呼び登録を行う。ステップＳ２で昇降機利用者呼び登録情報を読み出す。ステップＳ３で読み出した呼び登録情報に時間情報と階の情報を付ける。ステップＳ４で呼び登録情報により中間階で待ち時間と個人情報である優先ランクをパターンとして仕分けする。中間階の中で待ち時間が一つパターンとする場合に、呼び登録時間による中間階待ち時間が一定の設定値を超えた場合（Ｓ５）、又は中間階の利用者の個人情報が優先ランクの場合（Ｓ５ａ）は、該当利用者と所在階を優先サービス対象として該当者の人数と所在階の情報により乗りかご負荷センサの満員設定値を下方向に調節する（Ｓ６）。ステップＳ７で新たな満員設定値を用いて優先サービス階へ向かって下位呼び階に応じながら乗りかごの負荷センサ値をチェックする。かご負荷センサの値が新満員設定値を超えたか？（Ｓ８）。乗りかご負荷センサの新満員設定値を超えていなかった場合に新満員設定値を超えるまでＳ７を繰り返し、超えた場合には優先サービス階まで途中階を通過又は昇降機起動ができなくなる（Ｓ９）。その結果、乗りかごが中間優先サービス階の呼び登録に応じることができ、満員設定値が自動的に元に戻って普通運転状態に復帰し、利用者が乗る。
【００１９】
次にこれらの図を用いて、本システムの動作を説明する。
【００２０】
図１のシステム構成図を用いてこの例を挙げると、図３の該システム動作フローチャートを参照しながら、まず、昇降機利用者が昇降機を利用する際に、呼び登録装置３で呼び登録を行い（Ｓ１）、登録手段として例えば先行方向と人数の登録、或いは個人カード式の一括登録である。上記利用者が呼び登録した情報を中間階呼び対応処理と乗りかご制御指令装置４で読み出し（Ｓ２）、且つ昇降機の呼び時刻（時間）と所在階の情報を加える（Ｓ３）。Ｓ４で呼び登録情報の検知と仕分けを行い、待ち時間と個人情報である優先ランクとの二つのパターンにする。中間階呼び対応処理と乗りかご制御指令装置４で、呼び登録時間による中間階待ち時間が一定の設定値を超えた場合（Ｓ５）、又は呼び登録装置３から中間階の利用者の個人情報が優先ランクの場合（Ｓ５ａ）は、該当利用者と所在階を優先サービス対象として該当者の人数と所在階の情報により乗りかご負荷センサの満員設定値を下方向に調節し（Ｓ６）、昇降機制御盤２を通して昇降機乗りかご１の運行をコントロールする。Ｓ７で昇降機乗りかごが新たな満員設定値を用いて優先サービス階へ向かって、下位呼び階に応じながら乗りかごの負荷センサ値をチェックする。Ｓ８でかご負荷センサの値が新満員設定値を超えたかの判定を行い、かご負荷センサの値が新満員設定値を超えていなかった場合に新満員設定値を超えるまで乗りかごがＳ７を繰り返して優先サービス階に近づく。かご負荷センサ値が新満員設定値を超えた場合には、乗りかごが優先サービス階まで途中階の呼び登録に応じないままで通過の状態であり、又は途中階の呼び登録に応じた場合には乗りかごが満員アラームを出して該階からの利用者が乗りかごから出てアラームがなくなるまで乗りかごが動かなくなる（Ｓ９）。最後、乗りかごが中間優先サービス階の呼び登録に応じることができ、満員設定値が自動的に元に戻って普通運転状態に復帰し、待ち時間が長い中間階の利用者、又は優先ランクである利用者、いずれが待ち時間が長くなく昇降機利用することができた（Ｓ１０）。
【００２１】
さらに、優先ランクを持つ昇降機利用者が個人情報入力することによって、単一でなく多様の昇降機サービスの提供に対し有料化を視野にする可能性がある。
【図面の簡単な説明】
【００２２】
【図１】本発明の一実施形態になる昇降機運行制御装置における概略構成図である。
【図２】図１の昇降機運行制御装置の機能を説明するブロック図である。
【図３】図２の昇降機運行制御装置の動作を説明するフローチャートである。
【符号の説明】
【００２３】
１    昇降機乗りかご
２    昇降機制御盤
３    昇降機呼び登録装置
４    中間階呼び対応処理と乗りかご制御指令装置
１０    ＩＤ情報と時間階床付き呼び登録手段
１１    中間階呼び対応処理手段
【図１】
2005330062.tif 000003
【図２】
2005330062.tif 000004
【図３】
2005330062.tif 000005